(57)【特許請求の範囲】
【請求項１】
押鍵操作時に鍵を上下方向にガイドし、ガイド本体部と前記ガイド本体部を覆うキャップ部とを備える鍵ガイド部と、
潤滑剤を収容する収容部内から押出部によって前記潤滑剤を押し出す潤滑剤供給部と、を有し、
前記鍵ガイド部には、前記潤滑剤供給部から押し出された前記潤滑剤を前記鍵が摺動する前記鍵ガイド部の摺動面に導く潤滑剤流路が設けられ、
前記潤滑剤流路は、
前記ガイド本体部内の下端面から上端面まで上下に貫通して設けられるとともに、下端部が前記ガイド本体部内の前記下端面において前記潤滑剤供給部と接続され、上端部が前記ガイド本体部内の前記上端面に配置されている第１流路と、
前記ガイド本体部の前記上端面と、前記上端面に対応する前記キャップ部の内面との間に設けられるとともに、前記第１流路の前記上端部と接続された第２流路と、
前記キャップ部の外面の両側面である前記摺動面に設けられるとともに、前記第２流路に接続された第３流路と、
を備えていることを特徴とする潤滑剤供給装置。
【請求項２】
請求項１に記載の潤滑剤供給装置において、前記潤滑剤供給部の前記押出部を駆動する駆動機構部を備えていることを特徴とする潤滑剤供給装置。
【請求項３】
請求項２に記載の潤滑剤供給装置において、前記鍵の押鍵回数が予め定められた回数に到達した際に、前記駆動機構部に駆動指令を与えて前記鍵ガイド部に前記潤滑剤を供給させるための制御部を備えていることを特徴とする潤滑剤供給装置。
【請求項４】
請求項１〜請求項３のいずれかに記載の潤滑剤供給装置において、前記潤滑剤供給部は複数の前記鍵ガイド部に前記潤滑剤を一括して供給することを特徴とする潤滑剤供給装置。
【発明の詳細な説明】
【技術分野】
【０００１】
この発明は、電子ピアノや電子オルガンなどの鍵盤楽器に用いられる潤滑剤供給装置に関する。
【背景技術】
【０００２】
例えば、鍵盤楽器においては、特許文献１に記載されているように、鍵を押鍵操作した際に、鍵を上下方向にガイドする鍵ガイド部を備え、押鍵操作時に鍵が摺動する鍵ガイド部の摺動面にグリースなどの潤滑剤を塗布し、鍵ガイド部によって鍵を円滑にガイドするように構成されたものが知られている。
【先行技術文献】
【特許文献】
【０００３】
【特許文献１】実開平０４−６１３９６号公報
【０００４】
この種の鍵盤楽器は、鍵ガイド部の摺動面に潤滑剤を溜めるための凹部を設け、この凹部に潤滑剤を溜めることにより、潤滑剤が鍵ガイド部の摺動面からはみ出す量を抑制して、潤滑剤が短期間で消耗しないように構成されている。
【発明の概要】
【発明が解決しようとする課題】
【０００５】
しかしながら、このような鍵盤楽器では、鍵ガイド部の摺動面に設けられた凹部に潤滑剤を溜めて短期間で潤滑剤が消耗しないように構成しても、長時間経過すると、潤滑剤が減少し、演奏時にスムースに鍵操作ができず、異音を発生するなどの問題が生じる。このため、定期的な保守点検時に、グリースなどの潤滑剤を補充しなければならず、その補充作業が面倒であるという問題がある。
【０００６】
この発明が解決しようとする課題は、簡単に潤滑剤を補充して、常に鍵を円滑に押鍵操作することができる潤滑剤供給装置を提供することである。
【課題を解決するための手段】
【０００７】
この発明は、押鍵操作時に鍵を上下方向にガイドし、ガイド本体部とこのガイド本体部を覆うキャップ部とを備える鍵ガイド部と、潤滑剤を収容する収容部内から押出部によって前記潤滑剤を押し出す潤滑剤供給部と、を有し、前記鍵ガイド部には、前記潤滑剤供給部から押し出された前記潤滑剤を前記鍵が摺動する前記鍵ガイド部の摺動面に導く潤滑剤流路が設けられ、前記潤滑剤流路は、前記ガイド本体部内の下端面から上端面まで上下に貫通して設けられるとともに、下端部が前記ガイド本体部内の前記下端面において前記潤滑剤供給部と接続され、上端部が前記ガイド本体部内の前記上端面に配置されている第１流路と、前記ガイド本体部の前記上端面と、前記上端面に対応する前記キャップ部の内面との間に設けられるとともに、前記第１流路の前記上端部と接続された第２流路と、前記キャップ部の外面の両側面である前記摺動面に設けられるとともに、前記第２流路に接続された第３流路と、を備えていることを特徴とする潤滑剤供給装置である。
【発明の効果】
【０００８】
この発明によれば、潤滑剤供給部から潤滑剤を押し出すだけで、潤滑剤を鍵ガイド部の潤滑剤流路によって鍵ガイド部の摺動面に供給することができるので、簡単に潤滑剤を鍵ガイド部の摺動面に補充することができ、これにより常に鍵を円滑に押鍵操作することができる。
【図面の簡単な説明】
【０００９】
【図１】この発明を鍵盤楽器に適用した一実施形態を示した平面図である。
【図２】図１に示された鍵盤楽器のＡ−Ａ矢視における拡大断面図である。
【図３】図２に示された鍵盤楽器における潤滑剤供給装置を示した要部の拡大断面図である。
【図４】図３に示された潤滑剤供給装置における鍵ガイド部を示し、（ａ）はその拡大正面図、（ｂ）はその拡大側面図、（ｃ）はその拡大平面図、（ｄ）はその拡大底面図である。
【図５】図４に示された鍵ガイド部のガイド本体部を示し、（ａ）はその拡大正面図、（ｂ）はその拡大側面図、（ｃ）はその拡大平面図、（ｄ）はその拡大底面図である。
【図６】図４に示された鍵ガイド部のキャップ部を示し、（ａ）はその拡大正面図、（ｂ）はその拡大側面図、（ｃ）はその拡大平面図、（ｄ）はその拡大底面図である。
【図７】図１に示された鍵盤楽器において、鍵盤部を１１個のブロックに分割し、各ブロックごとに潤滑剤供給部を配置し、この潤滑剤供給部をそれぞれ制御基板に接続し、この制御基板を回路基板に接続した状態を示した要部の配置図である。
【図８】図１に示された鍵盤楽器の回路構成を示したブロック図である。
【図９】図８に示された鍵盤楽器におけるメインの動作フローを示した図である。
【図１０】図９に示されたスイッチ処理の動作フローを示した図である。
【図１１】図９に示されたメンテナンス処理の動作フローを示した図である。
【図１２】図１１に示された潤滑剤供給処理の動作フローを示した図である。
【発明を実施するための形態】
【００１０】
以下、図１〜図１２を参照して、この発明を鍵盤楽器に適用した一実施形態について説明する。
この鍵盤楽器は、図１および図２に示すように、楽器本体１を備えている。この楽器本体１は、下部ケースを兼ねる合成樹脂製の鍵盤シャーシ２と、この鍵盤シャーシ２の後部（図２では右側部）を覆う上部ケース３と、鍵盤シャーシ２の下部に設けられた底板４とで構成されている。
【００１１】
鍵盤シャーシ２上には、図１および図２に示すように、鍵盤部５が上方に露出した状態で設けられている。上部ケース３は、鍵盤シャーシ２の後部および両側部上に設けられて、鍵盤部５の後部を覆うように構成されている。この上部ケース３の上面には、操作部６および表示部７が設けられている。また、この上部ケース３の内面には、回路基板８が取り付けられている。
【００１２】
この場合、操作部６は、電源や音量調整、音色選択などの楽器に必要な各種のスイッチを備えている。表示部７は、液晶表示パネルやＥＬ（エレクトロ・ルミネッセンス）表示パネルなどの平面型の表示パネルからなり、演奏に必要な各種の情報を電気光学的に表示するように構成されている。回路基板８には、操作部６の各スイッチおよび表示部７が電気的に接続された状態で搭載されているほか、楽器に必要な各種の電子部品（図示せず）が搭載されている。
【００１３】
鍵盤部５は、図１および図２に示すように、鍵盤シャーシ２上に並列に配列された状態で上下方向に回転可能に設けられた複数の鍵１０と、この複数の鍵１０の各押鍵操作に応じてスイッチ信号をそれぞれ出力する複数のスイッチ部１１とを備えている。この場合、複数の鍵１０は、白鍵と黒鍵とを備えている。ただし、ここでは白鍵について説明する。
【００１４】
この鍵１０は、図２に示すように、その後端部（図２では右端部）に肉厚の薄い屈曲部１２が設けられ、この屈曲部１２が鍵１０の配列方向に連続する連結部１３にそれぞれ連結されるように構成されている。また、この鍵１０は、その後端部に位置する連結部１３が鍵盤シャーシ２の後部上に設けられた鍵搭載部１４上にビス１５によって取り付けられている。これにより、鍵１０は、その後端部の連結部１３が鍵盤シャーシ２の鍵搭載部１４上に取り付けられた状態で、屈曲部１２が上下方向に撓み変形することにより、上下方向に回転するように構成されている。
【００１５】
一方、鍵盤シャーシ２の前部（図２では左側部）には、図２に示すように、鍵１０の前端面（図２では左端面）における下部側を覆うための前カバー部１６が、底部から上方に向けて突出して形成されている。この前カバー部１６の後部側（図２では右側）に位置する鍵盤シャーシ２の箇所には、鍵１０を上下方向にガイドする白鍵用の鍵ガイド部１７がビス１８によって取り付けられている。
【００１６】
この鍵ガイド部１７の後部側（図２では右側）に位置する鍵盤シャーシ２の箇所には、図２に示すように、ガイド搭載部２０が立上り部２１によって一段高く形成されている。このガイド搭載部２０上には、白鍵用の鍵ガイド部１７と同様、黒鍵用の鍵ガイド部１９がビス１８によって取り付けられている。この黒鍵用の鍵ガイド部１９の後部に位置する鍵盤シャーシ２の箇所には、ストッパ搭載部２２が立上り部２３によって更に一段高く形成されている。
【００１７】
このストッパ搭載部２２の下面には、図２に示すように、鍵１０に設けられたストッパ部２４の突起部２４ａが下側から当接するフェルトなどの上限ストッパ２５が設けられている。この場合、立上り部２３には、鍵１０のストッパ部２４の突起部２４ａが上下方向に移動可能に挿入する開口部２３ａが設けられている。これにより、鍵１０は、屈曲部１２を中心に反時計回りに回転した際に、ストッパ部２４の突起部２４ａが下側から上限ストッパ２５に当接することにより、上限位置が規制されるように構成されている。
【００１８】
また、ストッパ搭載部２２の後部側に位置する鍵盤シャーシ２の箇所には、図２に示すように、スイッチ搭載部２６が設けられている。このスイッチ搭載部２６の下面には、スイッチ基板２７がビス１８によって取り付けられており、このスイッチ基板２７は、リード線２７ａによって回路基板８と電気的に接続されている。このスイッチ基板２７上には、スイッチ部１１が各鍵１０のスイッチ押圧部２８にそれぞれ対応して設けられている。この場合、スイッチ搭載部２６には、スイッチ部１１が挿入する貫通孔２６ａが上下に貫通して設けられている。
【００１９】
スイッチ部１１は、図２に示すように、ドーム状に膨出形成されたゴム部材３０と、このゴム部材３０の内部に設けられた可動接点３０ａと、スイッチ基板２７上に設けられた固定接点３０ｂとを備えている。これにより、スイッチ部１１は、ゴム部材３０が鍵１０のスイッチ押圧部２８によって押し下げられて弾力的に潰れ変形した際に、ゴム部材３０内の可動接点３０ａがスイッチ基板２７上の固定接点３０ｂに接触することにより、スイッチ信号を出力するように構成されている。
【００２０】
ところで、底板４は、図２に示すように、鍵盤シャーシ２の底部にビス１８によって取り付けられている。この底板４上には、鍵ガイド部１７、１９にグリースなどの潤滑剤３１を供給する潤滑剤供給装置３２が設けられている。この潤滑剤供給装置３２は、図２および図３に示すように、潤滑剤３１を収容するシリンダ部３３内からピストン部３４によって潤滑剤３１を押し出す潤滑剤供給部３５と、この潤滑剤供給部３５から送り出された潤滑剤３１を複数の鍵ガイド部１７、１９に供給するための供給パイプ３６とを備えている。
【００２１】
この場合、潤滑剤３１は、ペースト状のシリコーングリースであり、粘性である稠度が３００程度のものである。シリンダ部３３は、図３に示すように、円筒状の容器であり、その一端部（図３では左端部）には、潤滑剤３１を排出する排出口３３ａが設けられている。ピストン部３４は、シリンダ部３３の内周面に密接する円板部３４ａと、この円板部３４ａをシリンダ部３３の長手方向に沿って移動させる軸部３４ｂとを備えている。
【００２２】
これにより、潤滑剤供給部３５は、図３に示すように、軸部３４ｂをシリンダ部３３内に押し込んで円板部３４ａを移動させると、シリンダ部３３内の潤滑剤３１が排出口３３ａから押し出されるように構成されている。供給パイプ３６は、図２、図３および図７に示すように、一端部がシリンダ部３３の排出口３３ａに接続され、他端部が複数の鍵ガイド部１７の各潤滑剤流路３７に接続されるように構成されている。これにより、供給パイプ３６は、シリンダ部３３内から押し出された潤滑剤３１を複数の鍵ガイド部１７にそれぞれ供給するように構成されている。
【００２３】
この場合、白鍵用の鍵ガイド部１７と黒鍵用の鍵ガイド部１９とは、図２に示すように、その設置位置が異なっているほか、鍵１０の配列方向（図２では紙面の表裏面方向）の長さ（幅）が黒鍵用の鍵ガイド部１９よりも大きく形成され、高さが黒鍵用の鍵ガイド部１９よりも低く形成されている。これら以外は、白鍵用の鍵ガイド部１７と黒鍵用の鍵ガイド部１９とが、同じ構成になっている。このため、以下の説明では、白鍵用の鍵ガイド部１７について説明する。
【００２４】
この鍵ガイド部１７は、図４〜図６に示すように、ガイド本体部３８とこのガイド本体部３８を覆うキャップ部３９とを備えている。ガイド本体部３８は、平板状の取付部３８ａと、この取付部３８ａ上に起立して設けられた立板部３８ｂとで構成されている。キャップ部３９は、ガイド本体部３８の立板部３８ｂを覆うものであり、オレフィン系熱可塑性のエラストマで形成されている。
【００２５】
この鍵ガイド部１７には、図３〜図６に示すように、鍵１０が摺動する鍵ガイド部１７の摺動面４０に潤滑剤３１を導くための潤滑剤流路３７が設けられている。この潤滑剤流路３７は、ガイド本体部３８の立板部３８ｂ内に上下に貫通して設けられた第１流路３７ａと、ガイド本体部３８の立板部３８ｂの上端面とこれに対応するキャップ部３９の内面との間に設けられた第２流路３７ｂと、キャップ部３９の両側面に設けられた第３流路２７ｃとを備えている。
【００２６】
すなわち、第１流路３７ａは、図５（ａ）〜図５（ｄ）に示すように、ガイド本体部３８の立板部３８ｂにおける中心部に、その上下に貫通して形成された孔である。この第１流路３７ａの下端部には、接続パイプ部４１が下側に突出して設けられている。この接続パイプ部４１は、図２および図３に示すように、鍵盤シャーシ２の下側に突出し、この突出した下端部に供給パイプ３６が接続されるように構成されている。
【００２７】
また、第２流路３７ｂは、図４および図５に示すように、ガイド本体部３８の立板部３８ｂにおける上端部に、その鍵配列方向（図５（ａ）では左右方向）に位置する両端部に亘って連続して形成された半円形状の溝である。この第２流路３７ｂの中間部には、第１流路３７ａが連続している。また、この第２流路３７ｂは、ガイド本体部３８の立板部３８ｂにキャップ部３９が被せられていることにより、第１流路３７ａから送り込まれた潤滑剤３１を立板部３８ｂの上部両側に導くように構成されている。
【００２８】
さらに、第３流路３７ｃは、図４および図６に示すように、鍵１０が摺動する鍵ガイド部１７のキャップ部３９の両側面である摺動面４０にその上下方向に沿って設けられた凹部形状の溝部である。この第３流路３７ｃの上部には、第２流路３７ｂが連続している。これにより、第３流路３７ｃは、第２流路３７ｂから第３流路３７ｃの上部に潤滑剤３１が送り込まれ、この送り込まれた潤滑剤３１が第３流路３７ｃの上部から下部に向けて徐々に流れるように構成されている。
【００２９】
ところで、潤滑剤供給部３５には、図３に示すように、ピストン部３４を駆動するための駆動機構部４２が設けられている。この駆動機構部４２は、図示しないが、ステッピングモータと、このステッピングモータの回転を減速する減速ギアと、この減速ギアによって回転するピニオンギアと、このピニオンギアが噛み合ってピニオンギアの回転に伴ってスライドするラックギアとを備え、このラックギアがピストン部３４の軸部３４ｂに設けられた構成になっている。
【００３０】
これにより、駆動機構部４２は、ステッピングモータが回転すると、その回転が減速ギアで減速されてピニオンギアに伝達され、このピニオンギアの回転によってラックギアがピストン部３４の軸部３４ｂと共にその軸方向に沿って移動し、これに伴ってピストン部３４の円板部３４ａがシリンダ部３３内を移動することにより、シリンダ部３３内の潤滑剤３１をピストン部３４の移動量に応じてシリンダ部３３の排出口３３ａから押し出すように構成されている。
【００３１】
また、この潤滑剤供給部３５は、図７に示すように、鍵盤部５に対して複数個が配置されている。例えば、鍵盤部５は１１個のブロックＢに分割されており、１ブロックＢは８個の鍵１０を有している。これにより、１つの潤滑剤供給部３５は、１ブロックＢとして８個の鍵１０に対する各鍵ガイド部１７、１９に潤滑剤３１を一度に供給するように構成されている。
【００３２】
すなわち、１つの潤滑剤供給部３５には、図７に示すように、供給パイプ３６によって１ブロックＢである８個の鍵１０の各鍵ガイド部１７、１９に接続されている。この場合、１ブロックＢの８個の鍵１０とは、例えば白鍵用の鍵ガイド部１７が５個で、黒鍵用の鍵ガイド部１９が３個である第１タイプと、白鍵用の鍵ガイド部１７が４個で、黒鍵用の鍵ガイド部１９が４個である第２タイプとがあり、これら第１、第２の各タイプが鍵１０の配列状態に応じて混在した構成になっている。
【００３３】
また、複数の潤滑剤供給部３５は、図２および図７に示すように、その各駆動機構部４２が鍵盤シャーシ２の後端部（図２では右端部）上にビス１８によって取り付けられた制御基板４３とリード線４３ａによってそれぞれ電気的に接続されている。この制御基板４３は、上部ケース３に設けられた回路基板８とリード線４３ｂによって電気的に接続されている。これにより、複数の潤滑剤供給部３５は、その各駆動機構部４２に制御基板４３から駆動信号がリード線４３ａによってそれぞれ与えられるように構成されている。
【００３４】
次に、この鍵盤楽器の回路構成について、図８に示されたブロック図を参照して説明する。
この電子鍵盤楽器の回路構成は、鍵盤楽器の回路全般を制御するＣＰＵ（中央演算処理装置）５０と、予め定められたプログラムおよび入力されたデータを格納するメモリ部５１と、ＣＰＵ５０からの指令に基づいて各種の情報を表示する表示部７とを備えている。
【００３５】
また、この電子鍵盤楽器の回路構成は、図８に示すように、音量、音色、モード切替などの各種のスイッチを備えた操作部６と、複数の鍵１０の押鍵動作に基づいてそれぞれスイッチ信号を出力する鍵盤部５と、外部機器との間でデータの授受を行うインターフェイス部であるＩ／Ｆ部５２と、ＣＰＵ５０からの指令に基づいて潤滑剤供給装置３２に駆動信号を与える潤滑剤供給制御部５３とを備えている。
【００３６】
この場合、メモリ部５１は、ＲＯＭ（リード・オンリ・メモリ）とＲＡＭ（ランダム・アクセス・メモリ）とを備え、鍵盤部５における各鍵１０の押鍵回数を鍵盤部５のブロックＢごとにおける各鍵１０の押鍵回数としてそれぞれ記憶する。すなわち、メモリ部５１は、８個の鍵１０を１ブロックＢとし、このブロックＢごとにおける各鍵１０の押鍵回数をそれぞれ記録する。
【００３７】
次に、この鍵盤楽器の動作について、図９〜図１２に示す動作フローを参照して説明する。この場合、図９はＣＰＵ５０によって実行される鍵盤楽器のメイン動作フローを示す図である。
このＣＰＵ５０による処理は、電源が投入されると、スタートし、ステップＳ１でメモリ部５１に記憶されている各鍵１０の押鍵回数を除いて、イニシャライズ処理をし、ステップＳ２に進んで、潤滑剤３１を各鍵ガイド部１７、１９に供給する後述するメンテナンス処理を行う。このメンテナンス処理は、電源が投入され際に、１回実行される。
【００３８】
この後、ステップＳ３に進んでスイッチ処理を実行する。このスイッチ処理は、鍵盤部５の各鍵１０が押鍵されて、各鍵１０に対応する各スイッチ部１１がスイッチ信号を出力する通常のスイッチ処理を実行するほか、後述するスイッチ処理を実行し、ステップＳ４に進んで、各鍵１０に対応する各スイッチ部１１からのスイッチ信号に基づいて楽音を発音する発音処理を行う。この後、ステップＳ５でその他の処理を行い、ステップＳ３に戻り、電源が切られるまで、ステップＳ３〜ステップＳ５までの動作を繰り返す。
【００３９】
次に、この鍵盤楽器のスイッチ処理について、図１０に示された動作フローを参照して説明する。
このスイッチ処理は、通常のスイッチ処理のほかに、押鍵回数のカウント処理を行う。すなわち、このスイッチ処理がスタートすると、ステップＳ１０で鍵盤部５の各鍵１０が押鍵操作されて各鍵１０に対応する各スイッチ部１１がオンしたか否かを判断する。
【００４０】
このとき、スイッチ部１１がオンしていれば、ステップＳ１１に進んで、通常のスイッチ処理のほかに押鍵カウンタでスイッチ部１１のオン信号を押鍵回数としてカウントし、押鍵された鍵１０の押鍵回数に＋１を加算し、メモリ部５１に記憶する。また、ステップＳ１０でスイッチ部１１がオンしていなければ、鍵盤部５が演奏操作されていないと判断し、ステップＳ１２に進んで、その他のスイッチ処理を行ってメインフローに戻る。
【００４１】
次に、この鍵盤楽器のメンテナンス処理について、図１１に示された動作フローを参照して説明する。
このメンテナンス処理が開始すると、ステップＳ２０で鍵盤部５の各ブロックＢにおける各鍵１０の押鍵回数をメモリ部５１のワークテーブルに読み出する。
【００４２】
そして、ステップＳ２１に進んで、読み出したブロックＢにおける各鍵１０の押鍵回数が予め定められた所定回数である場合にそのブロックＢの各鍵ガイド部１７、１９に潤滑剤３１を供給する潤滑剤供給処理を実行する。この後、ステップＳ２２に進んで、潤滑剤３１を供給したブロックＢの押鍵回数を「０」に書き換え、メインフローに戻る。
【００４３】
次に、この鍵盤楽器の潤滑剤供給処理について、図１２に示された動作フローを参照して説明する。
この潤滑剤供給処理が開始すると、ステップＳ３０で各ブロックＢにおける鍵１０の押鍵回数を基準値、例えば２００万回（通常使用で半年に１回程度の回数に相当する）と比較する。
【００４４】
このとき、いずれかのブロックＢにおける鍵１０の押鍵回数が基準値以上であると判断されると、ステップＳ３１に進んで、押鍵回数が基準値以上のブロックＢの潤滑剤供給部３５における駆動機構部４２に駆動信号を与える。すなわち、駆動機構部４２のステッピングモータに規定のパルスを送り、ステッピングモータを所定回転数だけ回転させる。
【００４５】
すると、ステッピングモータの回転が減速ギアで減速されてピニオンギアを所定の角度だけ回転させ、このピニオンギアの回転に伴ってラックギアが移動し、潤滑剤供給部３５のピストン部３４をシリンダ部３３内で排出口３３ａに向けて所定量だけ移動させる。これにより、シリンダ部３３内の潤滑剤３１が排出口３３ａから押し出される。
【００４６】
この押し出された潤滑剤３１は、供給パイプ３６によって押鍵回数が基準値以上のブロックＢの各鍵ガイド部１７、１９に一度に供給される。この供給された潤滑剤３１は、各鍵ガイド部１７、１９の各接続パイプ部４１から各潤滑剤流路３７に送り込まれる。この潤滑剤流路３７に送り込まれた潤滑剤３１は、第１流路３７ａによって鍵ガイド部１７の上部に位置する第２流路３７ｂに導かれ、この第２流路３７ｂによって鍵ガイド部１７の両側に位置する摺動面４０に位置する第３流路３７ｃに導かれる。
【００４７】
これにより、潤滑剤３１が鍵ガイド部１７の摺動面４０に塗布され、この塗布された潤滑剤３１によって鍵ガイド部３５１７、１９が各鍵１０を円滑にガイドする。この場合、潤滑剤３１の供給量は、例えば１ブロックＢで８個の鍵１０に対して約０．７２ｇ（グラム）であり、各鍵１０の補充量は約０．２４ｇ（グラム）である。
【００４８】
このように押鍵回数が基準値以上のブロックＢの鍵１０に潤滑剤３１が供給されると、ステップＳ３２に進んで、メモリ部５１に記録されている潤滑剤３１が供給されたブロックＢにおける各鍵１０の押鍵回数をクリアし、メンテナンス処理に戻る。また、ステップＳ３０で、いずれのブロックＢの鍵１０の押鍵回数が基準値以上でないと判断された場合には、メンテナンス処理に戻る。
【００４９】
このように、この鍵盤楽器における潤滑剤供給装置３２によれば、押鍵操作時に鍵１０を上下方向にガイドする鍵ガイド部１７、１９に潤滑剤３１を供給する潤滑剤供給装置３２であって、潤滑剤３１を収容するシリンダ部３３内からピストン部３４によって潤滑剤３１を押し出す潤滑剤供給部３５と、鍵ガイド部１７、１９に設けられ、且つ潤滑剤供給部３５から押し出された潤滑剤３１を鍵１０が摺動する鍵ガイド部１７、１９の摺動面４０に導く潤滑剤流路３７とを備えていることにより、簡単に潤滑剤３１を補充して、常に鍵１０を円滑に押鍵操作することができる。
【００５０】
すなわち、この潤滑剤供給装置３２では、潤滑剤供給部３５から潤滑剤３１を押し出すだけで、潤滑剤３１を鍵ガイド部１７、１９の潤滑剤流路３７によって鍵ガイド部１７、１９の摺動面４０に供給することができるので、簡単に潤滑剤３１を鍵ガイド部１７、１９の摺動面４０に補充することができ、これにより常に鍵１０を円滑に押鍵操作することができる。
【００５１】
この場合、潤滑剤供給部３５のピストン部３４を駆動する駆動機構部４２を備えているので、潤滑剤３１を供給する際に、駆動機構部４２を駆動するだけで、自動的に潤滑剤３１を供給することができるので、潤滑剤３１の供給作業が簡単で容易にできる。すなわち、駆動機構部４２は、ステッピングモータが回転すると、その回転が減速ギアで減速されてピニオンギアに伝達され、このピニオンギアの回転によってラックギアがピストン部３４の軸部３４ｂと共にその軸方向に移動し、これに伴ってピストン部３４の円板部３４ａがシリンダ部３３内を移動することにより、シリンダ部３３内の潤滑剤３１をピストン部３４の移動量に応じてシリンダ部３３の排出口３３ａから押し出すことができる。
【００５２】
また、この潤滑剤供給装置３２では、鍵１０の押鍵回数が予め定められた所定回数に到達した際に、駆動機構部４２に駆動指令を与えて鍵ガイド部１７、１９に潤滑剤３１を供給させるための制御部であるＣＰＵ５０を備えていることにより、鍵１０が予め定められた所定回数だけ押鍵操作された際に、潤滑剤３１を鍵ガイド部１７、１９に自動的に塗布させることができ、これにより常に鍵１０を鍵ガイド部１７、１９によって円滑にガイドすることができる。
【００５３】
また、この潤滑剤供給装置３２では、鍵ガイド部１７、１９が、ガイド本体部３８とこのガイド本体部３８を覆うキャップ部３９とを備えた構成であるから、鍵ガイド部１７、１９に潤滑剤流路３７を容易に形成することができる。すなわち、ガイド本体部３８に第１流路３７ａを上下に貫通させて設けることができ、ガイド本体部３８の上端面とこれに対応するキャップ部３９の内面との間に第２流路３７ｂを簡単に設けることができ、キャップ部３９の両側面である摺動面４０に第３流路３７ｃを良好に設けることができる。
【００５４】
また、この潤滑剤供給装置３２では、潤滑剤流路３７が、ガイド本体部３８内に上下に貫通して設けられた第１流路３７ａと、ガイド本体部３８の上端面とこれに対応するキャップ部３９の内面との間に設けられた第２流路３７ｂと、キャップ部３９の両側面である摺動面４０に設けられた第３流路３７ｃとを備えているので、潤滑剤３１を潤滑剤流路３７によって確実に且つ良好に鍵ガイド部１７、１９の摺動面４０に供給することができる。
【００５５】
すなわち、この潤滑剤流路３７は、第１流路３７ａによって潤滑剤３１を鍵ガイド部１７の上部に良好に導くことができ、この導かれた潤滑剤３１を第２流路３７ｂによって鍵ガイド部１７、１９の両側に良好に導くことができ、この導かれた潤滑剤３１を第３流路３７ｃによって鍵ガイド部１７、１９の両側に位置する摺動面４０に導くことができ、これにより潤滑剤３１を鍵ガイド部１７、１９の摺動面４０に確実に且つ良好に塗布することができるので、この塗布された潤滑剤３１によって鍵１０を円滑にガイドすることができる。
【００５６】
さらに、この潤滑剤供給装置３２では、潤滑剤供給部３５が１ブロックＢごとの複数の鍵ガイド部１７、１９に潤滑剤３１を一括して供給することにより、潤滑剤供給部３５の数が少なくても、多くの鍵ガイド部１７、１９に潤滑剤３１を確実に且つ良好に供給することができ、これにより効率良く潤滑剤３１を各鍵ガイド部１７、１９に供給することができる。
【００５７】
例えば、この実施形態では、鍵盤部５を１１個のブロックＢに分割し、１つのブロックＢが８個の鍵１０を有し、この１ブロックＢに１つの潤滑剤供給部３５を設けた構成であるか、１つの潤滑剤供給部３５によって８個の鍵１０に潤滑剤３１を一括して供給することができ、これにより効率良く潤滑剤３１を各鍵ガイド部１７、１９に供給することができる。
【００５８】
なお、上述した実施形態では、８個の鍵１０を１ブロックＢとし、この１ブロックＢの各鍵１０に１つの潤滑剤供給部３５で一度に潤滑剤３１を供給するように構成した場合について述べたが、必ずしも８個の鍵１０を１ブロックＢとして構成する必要はなく、例えば５〜１０個程度の鍵１０を１ブロックとしても良い。
【００５９】
また、鍵盤部５を１１個のブロックＢに分ける必要はなく、例えば鍵盤部５を２〜４個程度のブロックに分け、その２〜４程度のブロックごとにそれぞれ潤滑剤供給部３５を配置しても良く、更に鍵盤部５の全ての鍵１０に１つの潤滑剤供給部３５で潤滑剤を供給するように構成しても良い。
【００６０】
また、上述した実施形態では、潤滑剤供給部３５が、潤滑剤３１を収容する円筒状のシリンダ部３３と、このシリンダ内を移動するピストン部３４とを備えた注射器型に構成されている場合について述べたが、これに限らず、潤滑剤供給部は、タンク形状の収容部と、この収容部内の潤滑剤３１を押し出す押出部とを備えた構成であれば、その形状は自由な形状に形成しても良い。
【００６１】
さらに、上述した実施形態では、鍵１０の押鍵回数が予め定められた所定回数に到達した際に、制御部であるＣＰＵ５０が駆動機構部４２に駆動指令を与えて鍵ガイド部１７、１９に潤滑剤３１を供給させるように構成した場合について述べたが、これに限らず、例えば楽器本体１に駆動機構部４２の駆動用のスイッチを設け、押鍵操作時に異音が発生して鍵１０が円滑に動作しない場合に、駆動用のスイッチを操作して駆動機構部４２を駆動させて鍵ガイド部１７、１９に潤滑剤３１を供給するように構成しても良い。
【００６２】
また、必ずしも潤滑剤供給部３５に駆動機構部４２を設ける必要はなく、押鍵操作時に異音が発生して鍵１０が円滑に動作しない場合に、潤滑剤供給部３５のピストン部３４を使用者が手動によって操作して、潤滑剤３１をシリンダ部３３内から押し出し、この押し出した潤滑剤３１を鍵ガイド部１７、１９に供給するように構成しても良い。
【００６３】
また、上述した実施形態では、鍵ガイド部１７、１９を鍵盤シャーシ２と別に形成し、ビス１８によって鍵盤シャーシ２上に鍵ガイド部１７、１９を取り付けた構成である場合について述べたが、これに限らず、鍵ガイド部１７、１９の各ガイド本体部３８を鍵盤シャーシ２と一体に形成し、この各ガイド本体部３８に各キャップ部３９を取り付けるように構成しても良い。
【００６４】
さらに、上述した実施形態では、鍵盤部５の各鍵１０の後端部に屈曲部１２を設け、この屈曲部１２を連結部１３に連結し、この連結部１３を鍵盤シャーシ２の鍵搭載部１４に取り付けた構成である場合について述べたが、これに限らず、鍵盤シャーシ２の鍵搭載部１４に鍵支持部を設け、この鍵支持部に鍵１０の後端部を軸によって上下方向に回転可能な状態で取り付けた構成であっても良い。
【００６５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６６】
（付記）
請求項１に記載の発明は、押鍵操作時に鍵を上下方向にガイドする鍵ガイド部に潤滑剤を供給する潤滑剤供給装置であって、前記潤滑剤を収容する収容部内から押出部によって前記潤滑剤を押し出す潤滑剤供給部と、前記鍵ガイド部に設けられ、且つ前記潤滑剤供給部から押し出された前記潤滑剤を前記鍵が摺動する前記鍵ガイド部の摺動面に導く潤滑剤流路とを備えていることを特徴とする潤滑剤供給装置である。
【００６７】
請求項２に記載の発明は、請求項１に記載の潤滑剤供給装置において、前記潤滑剤供給部の前記押出部を駆動する駆動機構部を備えていることを特徴とする潤滑剤供給装置である。
【００６８】
請求項３に記載の発明は、請求項２に記載の潤滑剤供給装置において、前記鍵の押鍵回数が予め定められた所定回数に到達した際に、前記駆動機構部に駆動指令を与えて前記鍵ガイド部に前記潤滑剤を供給させるための制御部を備えていることを特徴とする潤滑剤供給装置である。
【００６９】
請求項４に記載の発明は、請求項１〜請求項３のいずれかに記載の潤滑剤供給装置において、前記鍵ガイド部はガイド本体部とこのガイド本体部を覆うキャップ部とを備えていることを特徴とする潤滑剤供給装置である。
【００７０】
請求項５に記載の発明は、請求項４に記載の潤滑剤供給装置において、前記潤滑剤流路は、前記ガイド本体部内に上下に貫通して設けられた第１流路と、前記ガイド本体部の上端面とこれに対応する前記キャップ部の内面との間に設けられた第２流路と、前記キャップ部の両側面である前記摺動面に設けられた第３流路とを備えていることを特徴とする潤滑剤供給装置である。
【００７１】
請求項６に記載の発明は、請求項１〜請求項５のいずれかに記載の潤滑剤供給装置において、前記潤滑剤供給部は複数の前記鍵ガイド部に前記潤滑剤を一括して供給することを特徴とする潤滑剤供給装置である。
【符号の説明】
【００７２】
１  楽器本体
２  鍵盤シャーシ
５  鍵盤部
８  回路基板
１０  鍵
１１  スイッチ部
１７、１９  鍵ガイド部
２７  スイッチ基板
２８  スイッチ押圧部
３１  潤滑剤
３２  潤滑剤供給装置
３３  シリンダ部
３３ａ  排出口
３４  ピストン部
３５  潤滑剤供給部
３６  供給パイプ
３７  潤滑剤流路
３７ａ  第１流路
３７ｂ  第２流路
３７ｃ  第３流路
３８  ガイド本体部
３９  キャップ部
４０  摺動面
４２  駆動機構部
４３  制御基板
５０  ＣＰＵ
５１  メモリ部
５３  潤滑剤供給制御部
Ｂ  ブロック
【図１】
0005862931.tif 000002
【図２】
0005862931.tif 000003
【図３】
0005862931.tif 000004
【図４】
0005862931.tif 000005
【図５】
0005862931.tif 000006
【図６】
0005862931.tif 000007
【図７】
0005862931.tif 000008
【図８】
0005862931.tif 000009
【図９】
0005862931.tif 000010
【図１０】
0005862931.tif 000011
【図１１】
0005862931.tif 000012
【図１２】
0005862931.tif 000013